(57)【要約】  本発明は、平たいテープ（２）によって物品を梱包するための装置であって、平たいテープのテープガイド通路（１７）を有する少なくとも１つのテープガイドフレーム（９）と、テープガイド通路にテープを送るためのテープ駆動部（６）と、を具備し、テープガイド通路の狭い側部を開くオープン装置が、テープガイドフレームに配置されている装置、及びこのような装置で物品を梱包する方法に関する。本発明の目的は、非常に速い動作速度を可能にする装置並びに方法を提供することである。この目的は、オープン装置が、テープガイド通路の狭い側部を覆った閉位置から、テープガイド通路の狭い側部を開いた開位置へと移動可能なように、テープガイドフレームに移動可能に装着された少なくとも１つのカバー部材（１６）を有することによって果される。このようにして、溶着動作が完了する前に、新たに、テープループがテープガイド通路に受けられることができる。
2010500252.tif 000002
【特許請求の範囲】
【請求項１】
平たいテープ（２）によって物品（７）を梱包するための装置であって、
平たいテープのテープガイド通路（１７）を有する少なくとも１つのテープガイドフレーム（９）と、
前記テープガイド通路（１７）に前記テープ（２）を送るためのテープ駆動部（６）と、を具備し、前記テープガイド通路（１７）の狭い側部を開くオープン装置が、前記テープガイドフレーム（９）に配置されている装置において、
前記オープン装置は、前記テープガイド通路（１７）の前記狭い側部を覆った閉位置から、前記テープガイド通路（１７）の前記狭い側部を開いた開位置へと移動可能なように、前記テープガイドフレーム（９）に移動可能に装着された少なくとも１つのカバー部材（１６）を有することを特徴とする装置。
【請求項２】
前記カバー部材（１６）は、前記平たいテープのテープガイド通路（１７）に対して横方向に移動可能に、前記テープガイドフレーム（９）に装着されていることを特徴とする請求項１の装置。
【請求項３】
前記カバー部材は、前記テープガイドフレームに枢動可能に装着されていることを特徴とする請求項１又は２の装置。
【請求項４】
前記テープガイドフレーム（９）は、複数の肢部を有し、また、
前記少なくとも１つのカバー部材（１６）は、前記テープガイドフレーム（９）の各肢部に装着されていることを特徴とする請求項１ないし３のいずれか１の装置。
【請求項５】
前記複数のカバー部材（１６）の全てを同期して駆動するオープン駆動部（２４）を有することを特徴とする請求項４の装置。
【請求項６】
少なくとも１つの押出し部（１９）が、前記テープガイドフレーム（９）に配置されており、前記押出し部は、前記オープン装置が開位置にあるとき、開いた狭い側部を通って前記テープガイド通路（１７）の外側に、このテープガイド通路（１７）に形成されたテープループを押し出すことを特徴とする請求項１ないし５のいずれか１の装置。
【請求項７】
前記テープ駆動部（６）は、前記テープ（２）が前記テープガイド通路（１７）に送られる第１の位置から、形成されたループが前記物品（７）の周囲を締める第２の位置へと移動可能であることを特徴とする請求項１ないし６のいずれか１の装置。
【請求項８】
前記テープ駆動部（６）は、枢動可能であることを特徴とする請求項７の装置。
【請求項９】
前記テープ駆動部（６）は、移動可能であることを特徴とする請求項７の装置。
【請求項１０】
さらに、前記物品の周囲を締める前記テープループ（２８）の両端を接合するためのクロージャアセンブリ（１０）を具備することを特徴とする請求項１ないし９のいずれか１の装置。
【請求項１１】
前記クロージャアセンブリ（１０）は、溶着装置であることを特徴とする請求項１０の装置。
【請求項１２】
テープ（２）によって物品（７）を梱包するための方法であって、
テープ（２）が、テープループ（２８）を形成するように、テープ供給部（３）からテープガイド通路（１７）に送られ、
前記テープループ（２８）が、前記物品（７）の周囲を締め、
前記締めたテープループ（２８）が、前記テープ供給部（３）から切り離され、
前記締めたテープループ（２８）を閉じるために、このテープループの両端が、一緒に接合される方法において、
前記締めたテープループ（２８）を閉じる動作の完了前に、新たに、テープ（２）が、テープループ（２８）を形成するように、テープ供給部（３）から前記テープガイド通路（１７）に送られることを特徴とする方法。
【請求項１３】
前記テープループが前記物品（７）の周囲を締める前に、前記テープガイド通路（１７）の狭い側部が、開かれ、前記テープ（２）が、この狭い側部を通って前記テープガイド通路（１７）から出ることを特徴とする請求項１２の方法。
【請求項１４】
テープガイドフレーム（９）に移動可能に装着された少なくとも１つのカバー部材（１６）が、前記テープガイド通路（１７）の前記狭い側部を覆った閉位置から、前記テープガイド通路（１７）の前記狭い側部を開いた開位置へと移動されることを特徴とする請求項１３の方法。
【請求項１５】
前記カバー部材（１６）は、前記テープガイドフレーム（９）に対して移動可能であることを特徴とする請求項１４の方法。
【請求項１６】
前記カバー部材は、前記テープガイドフレーム（９）に対して枢動されることを特徴とする請求項１４又は１５の方法。
【請求項１７】
複数のカバー部材（１６）が、オープン装置（２４）によって同期して駆動されることを特徴とする請求項１２ないし１６のいずれか１の方法。
【請求項１８】
少なくとも１つの押出し部（１９）が、前記開いた狭い側部を通って前記テープガイド通路（１７）に、及び前記テープガイド通路（１７）の外側に、形成された前記テープループ（２８）を押し出すことを特徴とする請求項１２ないし１７のいずれか１の方法。
【請求項１９】
テープ駆動部（６）が、第１の位置から第２の位置へと移動され、また、前記第１の位置に戻され、
このテープ駆動部（６）は、前記第１の位置で、前記テープガイド通路（１７）に前記テープ（２）を送り、また、前記第２の位置で、前記物品（７）の周囲に形成された前記ループ（２８）を締めることを特徴とする請求項１２ないし１８のいずれか１の方法。
【請求項２０】
前記テープ駆動部（６）は、枢動可能であることを特徴とする請求項１９の方法。
【請求項２１】
前記テープ駆動部（６）は、移動可能であることを特徴とする請求項１９の方法。
【発明の詳細な説明】
【技術分野】
【０００１】
本発明は、梱包用テープで物品を梱包するように意図され、請求項１の前段に記載されているような装置及び請求項１２の前段に記載されているような方法に関する。
【背景技術】
【０００２】
このような種類の装置は、新聞、小包等を積み重ねたもののような物品を梱包するために使用される。これら物品は、通常、コンベヤ上をテープガイドフレームへと搬送され、テープガイドフレームの平面を通って出る。平たい梱包用テープが、テープ駆動部によって、このテープガイドフレームのテープガイド通路に送られる。そして、テープガイドフレームが開き、形成されたテープループが、径方向内側に向けられた方向に解放され、梱包される物品を取り囲むようにして通る。そして、このテープループが、梱包される物品の周囲をしっかりと締め付けさせるまで、締められる。この状態で、形成されたテープループが、テープ供給部から切り離される。そして、このテープループの両端が、互いに押圧され、一緒に接合される。多くの場合、ループの両端の間の接合は、溶着によって果される。
【０００３】
独国特許出願公開第６０１ ０８ ４７６ Ｔ１号は、テープガイドフレームのオープン装置が、テープガイド通路の狭い側部を開くような梱包機を開示している。この文献の図面の図１０ないし図１２から理解されることができるように、このテープガイド通路は、フレームのようなアーチ形部材に収容されている。この部材は、ほぼＣ形の断面形状であり、テープガイド通路を囲んでいる。断面を見ると、このＣ形部材は、アーチ形プレートとして参照されるものに、互いに平行な２つの肢部の各自由端部で押圧される。このアーチ形プレートは、テープガイドフレームの固定部材を形成している。テープガイド通路を有するＣ形部材は、この部材の平行な２つの肢部の方向に、アーチ形プレートから離れるように引っ張られることができる。Ｃ形部材が、固定されたアーチ形プレートから離れるように引っ張られたとき、Ｃ形部材の互いに平行な２つの肢部の間の通路が、開かれる。そして、テープループが、アーチ形プレートの近くに保たれ、このアーチ形プレートの内部で、径方向に出される。そして、このテープループが、梱包される物品の周囲で、径方向内側に引っ張られることができる。
【０００４】
上述の構造の欠点は、テープが、テープガイド通路に掛けられることに関して、及び解放、締付け、閉じられることに関して、同じ平面にあることである。それ故、テープループの両端を閉じさせるクロージャ装置は、新しいテープループを形成するための梱包用テープの長手方向の部分が、テープガイドフレームに掛けられるのを防いでいる。従って、新しいテープループがテープガイドフレームに掛けられる前に、テープループを閉じることを含む梱包動作が、まず完全に完了される。
【発明の概要】
【０００５】
本発明の目的は、非常に早い動作速度を可能にする装置及び方法を提供することである。
【０００６】
本装置に関して、この目的は、請求項１の特徴部分によって果される。
【０００７】
請求項１は、平たいテープによって物品を梱包するための装置であって、平たいテープのテープガイド通路を有する少なくとも１つのテープガイドフレームと、前記テープガイド通路に前記テープを送るためのテープ駆動部と、を具備し、前記テープガイド通路の狭い側部を開くオープン装置が、前記テープガイドフレームに配置されている装置に関する。
【０００８】
本発明に係わる目的を果すために、前記テープガイド通路の前記狭い側部を覆った閉位置から、前記テープガイド通路の前記狭い側部を開いた開位置へと移動可能なように、前記テープガイドフレームに移動可能に装着された少なくとも１つのカバー部材を有する。
【０００９】
従って、従来技術の状態とは異なり、テープガイド通路を有するＣ形部材は、この部材自身を移動させない。本発明に係われば、テープガイド通路は、固定されている。移動可能なカバー部材が、テープガイド通路に配置されており、テープガイド通路の狭い側部で開いた、即ち外側に出た開位置にある。従って、固定されたテープガイド通路は、この状態で移動されることなく、狭い側部で開かれることができる。
【００１０】
この装置は、テープガイド通路から横方向に出るように形成されたテープループを必要とする。それ故、テープガイド通路の平面の横方向に配置された平面へと移動される。このテープループの連続的な動作の間、言い換えれば、テープループを締め付けたとき、並びにクロージャアセンブリでテープループを閉じたとき、本発明に係わるテープガイドフレームの場合、ループの両端が一緒に接合されるクロージャ動作が完了する前に、新たに、このテープガイド通路に挿入されることができる。
【００１１】
本発明に係わる装置に対して、本発明に係わるテープガイドフレームの形態は、ループの形成並びに物品の梱包のための処理時間を、非常に効果的に短くすることが可能な方法を提供する。
【００１２】
実際の実施の形態では、前記カバー部材は、前記テープガイドフレームに移動可能に装着されている。代わって、前記カバー部材は、前記テープガイドフレームに枢動可能に装着されることができる。
【００１３】
実際には、前記テープガイドフレームは、複数の肢部を有することができ、また、前記少なくとも１つのカバー部材は、このテープガイドフレームの各肢部に装着されることができる。この場合、前記複数のカバー部材の全てを同期して駆動するオープン駆動部が設けられることができる。
【００１４】
さらに、少なくとも１つの押出し部が、前記テープガイドフレームに配置されることができ、前記押出し部は、前記オープン装置が開位置にあるとき、開いた狭い側部を通って前記テープガイド通路の外側に、このテープガイド通路に形成されたテープループを押し出す。テープを掛ける動作の間、この押出し部は、テープガイド通路から引き出される。テープガイド通路の狭い側部が開かれた後、この押出し部は、開いた側部に対向している側からテープガイド通路へと押し出され、このようにして、このテープガイド通路に平行な第２の平面にテープガイド通路の平面の外側のテープループを押し出す。第２の平面では、ループが、梱包される物品の周囲を締める。
【００１５】
この場合、実際の実施の形態では、前記テープ駆動部は、前記テープが前記テープガイド通路に送られる第１の位置から、形成されたループが前記物品の周囲を締める第２の位置へと移動可能である。物品からループを切り離した後、予め形成されたループが閉じられる前に、テープ駆動部が、テープガイド通路に新しいテープループを送るように、第１の位置に戻されることができる。締付け及びクロージャのための平面が、このテープガイド通路の平面の数ミリメートル近くにあれば、テープ駆動部に対して十分に枢動可能であることができる。
【００１６】
代わって、前記テープ駆動部は、移動可能であることができる。この場合、テープループは、テープガイドフレームから梱包面へと、横方向に移動されることができ、梱包される物品は、既に配置されている。このようにして、長手方向の梱包工程を完了することが可能であり、物品は、搬送方向にテープループで梱包される。
【００１７】
上述のように、実際には、本発明に係わる装置は、前記テープループの両端を接合するためのクロージャアセンブリを有する。実際の実施の形態では、前記クロージャアセンブリは、溶着装置の形態である。
【００１８】
本発明に係わる方法に関して、上述の目的は、請求項１２の特徴部分によって果される。
【００１９】
請求項１２は、テープによって物品を梱包するための方法であって、テープが、テープループを形成するように、テープ供給部からテープガイド通路に送られ、前記テープループが、前記物品の周囲を締め、前記締めたテープループが、前記テープ供給部から切り離され、前記締めたテープループを閉じるために、このテープループの両端が、一緒に接合される方法に関する。
【００２０】
本発明に係わる目的を果すために、前記締めたテープループを閉じる動作の完了前に、新たに、テープが、テープループを形成するように、テープ供給部から前記テープガイド通路に送られる。
【００２１】
上述のように、実際の実施の形態では、前記テープガイド通路の狭い側部が、テープループの締付けの前に開かれることができ、前記テープが、この狭い側部を通ってテープガイド通路から出る。
【００２２】
この目的のために、少なくとも１つの移動可能なカバー部材が、テープガイドフレームに装着されることができ、前記カバー部材は、前記テープガイド通路の前記狭い側部を覆った閉位置から、前記テープガイド通路の前記狭い側部を開いた開位置へと移動される。これに関して、前記カバー部材は、前記テープガイドフレームに対して移動される、又は枢動されることができる。カバーフレームが複数のカバー部材を含むならば、オープン駆動部が、これらカバー部材を同期して駆動することができる。
【００２３】
上述のように、前記開いた狭い側部を通って前記テープガイド通路に、及び前記テープガイド通路の外側に形成された前記テープループを押し出す少なくとも１つの押出し部を有することができる。
【００２４】
実際には、テープ駆動部が、第１の位置から第２の位置へと移動され、また、前記第１の位置に戻され、このテープ駆動部は、前記第１の位置で、前記テープガイド通路にテープを送り、また、前記第２の位置で、前記物品の周囲に形成されたループを締める。
【００２５】
前記テープ駆動部は、２つの位置の間で枢動される、又は移動されることができる。
【００２６】
本発明の実際の実施の形態が、添付図面を参照して以下で説明される。
【図面の簡単な説明】
【００２７】
【図１】図１は、梱包機の概略的な正面図である。
【図２】図２は、梱包用テープがテープガイドフレームに送られた、本発明に係わる梱包機の斜視図である。
【図３】図３は、完成したテープループが梱包面へと移動された、本発明に係わる梱包機の斜視図である。
【図４】図４は、閉じたテープガイドフレームの正面図である。
【図５】図５は、開いたテープガイドフレームの正面図である。
【図６】図６は、テープガイドフレームの背面図である。
【図７】図７は、テープガイドフレームの閉位置での、動作原理を示す概略的な断面図である。
【図８】図８は、テープガイドフレームの開位置での、図７に対応する図である。
【図９】図９は、保持手段に保持されたテープループを有する保持手段の斜視図である。
【図１０】図１０は、開始位置で、枢動可能なテープ駆動部を有する、本発明のさらなる実施の形態の側面図である。
【図１１】図１１は、枢動されるテープ駆動部を有する図１０に対応する図である。
【発明を実施するための形態】
【００２８】
図１に示される梱包機１は、送り込み装置４によって供給ロール３から引き出され、テープ格納部５に送られるテープ２で、物品７を梱包するように機能する。テープがループを形成するように、テープが、テープ格納部５から締付け装置８を通ってテープガイドフレーム９のテープガイド通路へと、テープ送り装置６によって送られる。そして、テープループが前記物品７に対して密接して掛かるように、このテープが、前記テープ送り装置６の駆動によって締められる。前記締付け装置８は、テープループが所定の高いレベルの締付け力で物品７の周囲に引き寄せられるように駆動される。これらテープ送り装置６及び締付け装置８は、一緒になってテープ駆動部を形成している。これらは、駆動装置を与えるように、互いに組み合わされることもできる。
【００２９】
そして、締められたループが、テープ供給部から切り離される。このループの一端は、クロージャアセンブリ１０によって、このループの他端に接合される。実際には、このクロージャアセンブリ１０は、例えば、テープループが形成されたパッケージの両端を一緒に溶着する溶着装置を有する。このクロージャアセンブリ１０は、梱包用テープを構成しているフィルムのようなプラスチック材料を溶着する。前記物品７のコンベヤは、図１には示されていない。
【００３０】
図２並びに図３は、本発明に係わる梱包機１の斜視図である。梱包機１は、フレーム構造体１１を有する。このフレーム構造体１１には、通常、被覆手段、即ちカバー部材が設けられている。前記テープガイドフレーム９は、このフレーム構造体１１の上に配置されている。また、このテープガイドフレーム９は、コンベヤ１２の横方向に垂直な平面に配置されている。このコンベヤは、明確化のために、図３にのみ示されている。このコンベヤ１２は、コンベヤベルト１３を有し、このコンベヤベルト１３は、コンベヤベルト１３の上に示された搬送方向に、コンベヤモータ１４によって移動される。明確化のために図３には示されていないが、対応する第２のコンベヤベルトが、図示されたコンベヤベルト１３の側に配置されている。２つのコンベヤベルトの間を広げることによって、物品７の周囲を梱包する際にテープループが通過するギャップが生じる。
【００３１】
前記テープ２のための駆動モータ１５が、前記コンベヤ１２の平面よりも下に配置されており、この駆動モータは、前記テープ送り装置６と関連している（図１参照）。この駆動モータ１５は、搬送方向に対して横方向に移動される往復台２２の上に配置されている。図２では、この往復台２２は、駆動モータ１５の駆動シャフトに配置された駆動ローラが、梱包用フレーム９の平面にある位置にある。この駆動モータ１５は、テープ２の一部をテープガイドフレーム９に送り、テープガイド通路に閉じたループを形成する。この閉じたループの両端は、テープガイドフレーム９よりも下の保持手段によって係合され、詳細は後に説明される。このテープガイドフレーム９にテープ２を送っている間、複数のカバー部材１６が、テープガイドフレーム９に形成されたテープガイド通路を覆っている。
【００３２】
図３では、図２と比較して、上方の複数のカバー部材１６が、上方に移動されており、また、複数の横方向のカバー部材１６が、フレームの中心に向かって移動されている。開いた状態では、テープガイド通路１７が開いており、テープ２がこのテープガイド通路１７から出ることができる。
【００３３】
図７並びに図８は、テープガイド通路１７の異なる２つの状態を概略的に示しており、即ち、図７に閉じた状態が、図８に開いた状態が示されている。前記テープガイドフレーム９は、ここに断面で示される。このテープガイドフレーム９は、テープガイドフレーム９の狭い側部１８に対して開き、かつ梱包面に面した内部のテープガイド通路１７を有する。閉じた状態（図７）では、このテープガイド通路１７の開いた側は、上述のカバー部材１６で覆われている。この状態では、テープ２は、このテープガイド通路に閉じたテープループを形成するように、通路１７に送られる。
【００３４】
そして、前記カバー部材１６は、梱包面に面したテープガイド通路１７の側部１８が開かれるように（図８参照）、動かされる。テープ２は、側部１８に対して、テープガイド通路１７から出ることができる。押出し部１９は、テープガイド通路１７の少なくとも１つの位置に設けられることができ、これら押出し部は、これら押出し部を開いた後（図８参照）、テープガイド通路１７に引っ張られ、このテープガイド通路１７の外側にテープ２を押し出す状態となる。
【００３５】
特に、図３は、側部にテープガイドフレーム９に近いことを示すように、梱包面が、前記テープガイド通路１７に形成されたテープループのためのガイド手段を形成している上方バー２０に面している。形成されたテープループのさらなるガイド手段を形成する２つのガイドロッド２１が、コンベヤの横方向に、このコンベヤ１２よりも下に配置されている。
【００３６】
図３は、梱包機を示す図２にほぼ対応した図であり、前記駆動モータ１５は、コンベヤ１２よりも下の位置に配置されている。この駆動モータ１５と同時に、以下で説明される保持手段が、コンベヤ１２の下よりも領域に配置されている。この保持手段は、テープループをしっかりと保持し、ガイド手段２０、２１に沿ってこのテープループを配置する。このテープの引っ張ったループが、図３に破線で示されており、このループは、ガイド手段２０、２１の端部の所で、この梱包面にある。テープループを締めた状態で、このテープループは、ガイド手段２０、２１の両端をスライドし、物品７の周囲を締めることができる。
【００３７】
前記駆動モータ１５は、往復台２２の上に前記保持手段と一緒に配置されており、この往復台は、前記テープガイドフレーム９よりも下の部分から梱包面の下の部分へと、コンベヤ１２の搬送方向に対して横方向に移動可能である。テープ２が締められたとき、前記締付け装置を駆動するための締付けモータ２３が、往復台２２の上に配置されている。
【００３８】
前記往復台２２が、梱包面よりも下の端部の位置に移動されたとき、テープ２は、上述のように、前記ガイド手段２０、２１からスライドし、前記駆動モータ１５と締付けモータ２３とによって、物品７の周囲を締めることができる。そして、この物品７の周囲を締めたテープループの両端は、物品７の下面で、クロージャアセンブリ１０により溶着される。溶着動作の間、往復台２２に対する保持手段は、図２に示されたテープガイドフレームよりも下に示された位置に押し戻されることができる。溶着動作の間、物品７が図２並びに図３に示される梱包位置から離れて、及び外側に移動される前に、新しいテープループがテープガイド通路に形成されるようにして、テープガイドフレーム９に新しいテープを掛ける工程を果すことができる。
【００３９】
同一の構成体が、梱包面の反対側（図示されていない）に、鏡像の関係で設けられることができる。この場合、第２の往復台が、図２並びに図３の右側の側部から梱包面へと移動する。この第２の往復台は、第１の梱包面に対して所定の距離だけ移動され、梱包面にテープループを供給することができる。従って、物品７は、互いに平行な２つのテープループを供給されることができる。代わって、両往復台が、第１のループが、前記左側のテープガイドフレームから梱包面へと移動され、かつ第２のループが、前記右側のテープガイドフレームから移動されるように、同じ梱包面へと移動可能であっても良い。
【００４０】
図４は、テープガイド通路が閉じた状態において、上述のように配置されたテープガイドフレーム９及びテープ格納部５の正面図である。この実施の形態では、全てのカバー部材１６は、テープガイド通路を外側に開くように移動される。テープガイドフレーム９は、互いに直角である４つの肢部を有することが理解されるであろう。横方向の各肢部及び上部の各肢部には、夫々カバー部材１６が設けられている。テープガイドフレームの下方の肢部には、クロージャアセンブリ１０の間に配置された２つのカバー部材１６が設けられている。図４では、これらカバー部材１６は、前記テープガイドフレーム９の内部の側に移動される。この位置で、これらカバー部材は、テープガイド通路を覆っており、テープループは、テープガイド通路に挿入されることができる。
【００４１】
図５では、テープガイドフレーム９の前記複数のカバー部材１６は、外側に移動することができるので、これらカバー部材は、テープガイド通路１７を開く、即ち出す。このテープループは、図５に示されるように、テープガイド通路から出て、梱包される物品７の周囲で締められることができる。
【００４２】
図６は、３つのスラストロッド２４を見ることが可能なテープガイドフレーム９の背面図である。これらロッドは互いに接続されており、４つのカバー部材１６の全てを同時に移動させる。
【００４３】
図９は、前記保持手段２５を示しており、この保持手段は、テープ２によって形成された前記テープループ２８の両端を係合させ、テープガイドフレーム９の平面から梱包面へとこのテープループを移動させることができる。この保持手段２５は、クランプアーム２６と、支持プレート２７と、を有する第１のクランプを有する。このクランプアーム２６は、前記テープガイドフレームに近い位置に、実線で示されている。このクランプアームは、クランプ位置では、支持プレート２７に対して押し出され、テープの端を迅速に留める。このクランプアーム２６は、支持プレート２７から離れるように枢動される開位置に、破線で示されている。このクランプアーム２６は、テープ２の横方向に延びたスロットを有し、このスロットには、少なくともこのテープの自由端部が収容され、支持プレート２７に対して押圧される。テープ供給部に接合されるテープループ２８の端部は、クランプアーム２６の同じスロット、即ちこのテープループに平行な第２のスロットに留められることができる。保持手段２５を備えたクロージャアセンブリが、往復台２２に対して移動可能であるならば、テープ供給部に接合されるテープの端は、このアセンブリのクランプ手段によって直接係合されることができる。巻込み部材２９が、このクランプアーム２６に対して横方向に移動され、往復台２２に対して、テープガイドフレーム９の全幅に亘って移動されることを確実にする。必要であれば、さらなる巻込み部材２９が、クランプアームの他の側部に設けられることができる。
【００４４】
前記往復台２２及びこの往復台に装着された構成部材が、テープガイドフレームに近い位置に、実線で示されている。前記テープループ２８、クランプアーム２６及び巻込み部材２９と一体となった往復台は、梱包面に近い位置に、破線で示されている。また、図９は、往復台２２を前記テープガイドフレーム９から梱包面へと移動するための駆動部３０も示している。
【００４５】
図１０並びに図１１は、本発明の代わりの実施の形態を示している。この実施の形態では、このテープ送り装置６を形成しているテープ駆動部は、枢動可能である。
【００４６】
前記テープ駆動部６の第１の枢動位置が、図１０に示されることができる。この位置では、テープ駆動部６は、前記テープガイドフレーム９の平面の下方にある。また、この位置では、テープが、テープ駆動部６によって、テープガイドフレーム９のテープガイド通路に送られる。
【００４７】
テープを送る動作の際、前記複数のカバー部材１６は、これら部材がテープガイド通路１７を覆った（図４並びに図７参照）閉位置にある。そして、これらカバー部材１６は、開位置（図５並びに図８参照）へと移動される。この位置では、テープは、テープガイド通路１７から押し出され、テープ駆動部６が、第２の枢動位置へと枢動される。
【００４８】
前記テープ駆動部６の第２の枢動位置が、図１１に示されることができる。この位置では、テープ駆動部６は、小さな角度だけ、梱包面に対して枢動される。実際の実施の形態では、この角度は、２．６°である。図示された枢動角は、図１１に、明確化のために拡大したスケールで示されている。枢動された位置では、テープ２は、梱包面の下面でテープ駆動部６を通る。
【００４９】
前記テープガイド通路から出されたテープループは、梱包される物品７の周囲をしっかりと締めるまで、テープ駆動部６によって締められることができる。テープ供給部に接合されるテープループの端部は、梱包面よりも下で、クロージャアセンブリ１０で迅速に留められ、テープ供給部から出される。そして、両端が、クロージャアセンブリ１０によって一緒に溶着される。この動作の間、テープ駆動部は、図１０に示されたテープガイドフレーム９の下に、位置を戻すように枢動されることができる。この間に、前記複数のカバー部材１６は、図７に示された位置へと戻るように移動され、テープガイド通路１７を覆う。このようにして、溶着動作が終わる前に、新しいテープループがテープガイド通路に受けられることができ、梱包される物品７は、梱包面の外側に搬送される。
【符号の説明】
【００５０】
１…梱包機、２…テープ、３…供給ロール、４…送り込み装置、５…テープ格納部、６…テープコンベヤ装置、テープ駆動部、７…物品、８…締付け装置、９…テープガイドフレーム、１０…クロージャアセンブリ、１１…フレーム構造体、１２…コンベヤ、１３…コンベヤベルト、１４…コンベヤモータ、１５…駆動モータ、１６…カバー部材、１７…テープガイド通路、１８…側部、１９…押出し部、２０…バー、ガイド手段、２１…ガイドロッド、ガイド手段、２２…往復台、２３…締付けモータ、２４…スラストロッド、２５…保持手段、２６…クランプアーム、２７…支持プレート、２８…テープループ、２９…巻込み部材、３０…往復台駆動部。
【図１】
2010500252.tif 000003
【図２】
2010500252.tif 000004
【図３】
2010500252.tif 000005
【図４】
2010500252.tif 000006
【図５】
2010500252.tif 000007
【図６】
2010500252.tif 000008
【図７】
2010500252.tif 000009
【図８】
2010500252.tif 000010
【図９】
2010500252.tif 000011
【図１０】
2010500252.tif 000012
【図１１】
2010500252.tif 000013
【国際調査報告】
2010500252.tif 000014
2010500252.tif 000015
2010500252.tif 000016
2010500252.tif 000017